(57)【特許請求の範囲】
【請求項１】
商品を集積収納するとともに、その集積収納された最下位の商品から順に投出する自動販売機の商品収納装置において、
前面が開口され、この開口を通じて装填される商品を上下方向に集積収納する商品コラムと、
前記商品コラムの前方下部に設けられる支持部材と、
この支持部材にほぼ水平面内で回動可能に取り付けられ、その回動中心からそれぞれ異なる距離に形成される複数の規制縁部を有し、それら複数の規制縁部のうちのいずれかを前記商品コラムの前面に対向させて商品コラム内の少くとも最下位から２番目の商品の前方向への動きを規制する調整部材と、
前記商品コラムの前方に位置し、前記商品コラム内の商品の前方向への動きを規制する規制部材と、
前記調整部材の各規制縁部に設けられ、前記規制部材を係止する係止部と
を具備していることを特徴とする自動販売機の商品収納装置。
【請求項２】
ほぼ垂直な壁面部を調整部材の各規制縁部にそれぞれ設けた
ことを特徴とする請求項１記載の自動販売機の商品収納装置。
【請求項３】
調整部材の規制縁部と反対側の縁部に、回動中心を中心とする円弧状の逃げ部を設けた
ことを特徴とする請求項１または２記載の自動販売機の商品収納装置。
【発明の詳細な説明】
【０００１】
【発明の属する技術分野】
本発明は、商品を集積収納するとともに、その集積収納された商品を投出する自動販売機の商品収納装置に関する。
【０００２】
【従来の技術】
従来、この種の自動販売機の商品収納装置では、例えば、実開平７−２５４７０号公報に記載されているように、商品コラム内に商品を上下方向に集積収納し、商品コラム内の最下位の商品から順に投出部材で前方へ押し出して投出するようにしている。
【０００３】
図５(b) に示すように、商品コラム１の前面は商品装填のために開口し、この商品コラム１の前方下部には支持部材２を配設し、この支持部材２に対して前後方向調整可能に調整部材３を取り付け、この調整部材３に商品コラム１内の商品ｔの前倒れを防止する図示しない規制部材を取り付けている。調整部材３は、投出部材４により投出される最下位の商品ｔにつられて少くとも最下位から２番目の商品ｔが前方向へ動くのを規制し、また、規制部材は、調整部材３より上方の商品ｔが前方向へ動くのを規制する。
【０００４】
調整部材３には、支持部材２に取り付けられる平板部５を形成するとともに、この平板部５の後部に下方に延びる厚み規制部６を形成する。平板部５には長孔７を前後方向に沿って形成し、この長孔７を通じて取付ねじ８を支持部材２に螺着する。
【０００５】
そして、商品コラム１に収納する商品ｔのサイズに合わせるために、長孔７を介して、調整部材３を前後方向にスライドさせ、商品コラム１の前面に対向する調整部材３の位置を調整する。
【０００６】
【発明が解決しようとする課題】
しかしながら、従来の構成では、調整部材３が長孔７に沿って前後方向にスライド調整して取り付けられるため、収納する商品ｔのサイズによっては、調整部材３が支持部材２より前方向に幅Ｌだけ大きく突出する場合（図５(b) の２点鎖線位置）があり、その幅Ｌのためのスペースを考慮する必要があるので、自動販売機の前後方向の長さが大きくなる問題がある。
【０００７】
本発明は、このような点に鑑みなされたもので、従来の調整部材を長孔に沿って前後方向にスライド調整する場合に比べて、調整部材の前方向への突出を小さくし、そのためのスペースを省略して前後方向の長さを小さくできる自動販売機の商品収納装置を提供することを目的とする。
【０００８】
【課題を解決するための手段】
請求項１記載の自動販売機の商品収納装置は、商品を集積収納するとともに、その集積収納された最下位の商品から順に投出する自動販売機の商品収納装置において、前面が開口され、この開口を通じて装填される商品を上下方向に集積収納する商品コラムと、前記商品コラムの前方下部に設けられる支持部材と、この支持部材にほぼ水平面内で回動可能に取り付けられ、その回動中心からそれぞれ異なる距離に形成される複数の規制縁部を有し、それら複数の規制縁部のうちのいずれかを前記商品コラムの前面に対向させて商品コラム内の少くとも最下位から２番目の商品の前方向への動きを規制する調整部材と、前記商品コラムの前方に位置し、前記商品コラム内の商品の前方向への動きを規制する規制部材と、前記調整部材の各規制縁部に設けられ、前記規制部材を係止する係止部とを具備しているものである。
【０００９】
商品コラムに収納する商品のサイズに対応して、調整部材を支持部材に対してほぼ水平面内で回動させ、その回動中心からそれぞれ異なる距離に形成される複数の規制縁部のうちのいずれかを商品コラムの前面に対向させる。そのため、例えば、サイズの大きい商品に対応させる場合、従来では長孔に沿って調整部材を前方向に大きくスライドさせる必要があるのに比べて、調整部材の回動中心からの距離が短い規制縁部を商品コラムの前面に対向させればよく、調整部材の前方向への突出は小さく、そのためのスペースを省略可能となり、自動販売機の前後方向の長さが小さくなる。さらに、商品コラムに収納する商品のサイズに合わせて、調整部材の複数の規制縁部のうちのいずれかを商品コラムの前面に対向させた際、その規制縁部の係止部に規制部材を取り付ける。したがって、商品のサイズに合わせて、規制部材を商品コラムの前方に容易に配置可能となる。
【００１０】
請求項２記載の自動販売機の商品収納装置は、請求項１記載の自動販売機の商品収納装置において、ほぼ垂直な壁面部を調整部材の各規制縁部にそれぞれ設けたものである。
【００１１】
壁面部により、商品コラムに集積収納された商品を正規の位置に規制し、商品の投出を確実にする。
【００１２】
請求項３記載の自動販売機の商品収納装置は、請求項１または２記載の自動販売機の商品収納装置において、調整部材の規制縁部と反対側の縁部に、回動中心を中心とする円弧状の逃げ部を設けたものである。
【００１３】
【発明の実施の形態】
以下、本発明の自動販売機の商品収納装置の一実施の形態を図面を参照して説明する。
【００１４】
図１(a) は商品収納装置の小さいサイズの商品に対応した状態での平面図、図１(b) は商品収納装置の大きいサイズの商品に対応した状態での平面図、図２は商品収納装置の正面図、図３は商品収納装置の側面図、図４は調整部材の斜視図、図５(a) は本実施の形態の商品収納装置の平面図、図５(b) は従来の商品収納装置の平面図である。
【００１５】
自動販売機は、販売機本体とこの販売機本体の前面に開閉可能に設けられた扉体を有し、販売機本体内に例えばたばこなどの商品を種類別に収納するとともに商品販売時に収納された商品を投出する複数の商品収納装置が配設されている。
【００１６】
図１ないし図３に商品収納装置11を示し、この商品収納装置11には、底台12、天板13、背面板14、左右の収納枠15により、例えばたばこなどの商品Ｔを上下方向に集積収納する商品コラム16が形成されている。商品コラム16の前面には開口17が形成され、この開口17を通じて商品Ｔが商品コラム16内に装填される。
【００１７】
底台12上には、前後方向に移動可能であって商品コラム16内の最下位の商品Ｔを前方へ押し出して投出する投出部材18が配設されている。この投出部材18を前後方向に移動させる駆動機構は底台12内に配設されている。
【００１８】
底台12の上面前端と後述する調整部材22の壁面部40，41との間に、投出部材18の前進時に最下位の商品Ｔのみが通過して前方に投出される投出口19が形成されている。
【００１９】
天板13の前端には、商品コラム16に収納する商品Ｔのサイズ（前後長さ）に対応して後述する規制部材23の上端を選択的に係止する２つの係止部20a ，20b が下方に切り起こし形成されている。
【００２０】
また、販売機本体内で横に並ぶ各商品収納装置11の前方下部に沿って支持部材21が横設され、この支持部材21の下面に各商品コラム16の位置に対応して調整部材22が取り付けられ、この調整部材22と天板13の係止部20a ，20b のいずれか一方との間に規制部材23が取り付けられている。
【００２１】
調整部材22は、図４にも示すように、支持部材21の下面に取り付けられる平板形状の水平部31を有し、この水平部31にはねじ孔32が形成され、このねじ孔32に支持部材21の上方から取付ねじ33が螺合される。そして、調整部材22は、取付ねじ33により、その取付ねじ33を回動中心として支持部材21にほぼ水平面内で回動可能に取り付けられる。
【００２２】
水平部31の回動中心からそれぞれ異なる距離に２つの規制縁部34，35が形成されている。これらの規制縁部34，35は互いに直交する位置関係とされ、一方の規制縁部34は他方の規制縁部35よりもねじ孔32から遠い距離に形成されている。
【００２３】
水平部31の上面には係合突起36が突出形成され、支持部材21には各規制縁部34，35が商品コラム16の前面に対向する各回動位置で係合突起36が係合して調整部材22の取付位置を規制する係合凹部37，38が形成されている。
【００２４】
なお、水平部31の規制縁部34と反対側の縁部には、ねじ孔32すなわち回動中心を中心とする円弧状の逃げ部39が形成されている。
【００２５】
各規制縁部34，35には、下方に垂下する壁面部（垂直部）40，41がそれぞれ形成されている。各壁面部40，41の外壁面には、商品コラム16から前方に突出した商品Ｔを正規の位置に誘導するための傾斜面42，43が形成されているとともに、傾斜面42，43の下側に商品Ｔを正規の位置に規制する垂直面44，45が形成されている。なお、各壁面部40，41の下方への突出量の設定により、商品コラム16内の最下位の商品Ｔの前方向への動きを許容するとともに最下位から２番目の商品Ｔの前方向への動きを規制可能としている。
【００２６】
各壁面部40，41には、規制部材23の下端を引っ掛け係止する上下方向にスリット状の係止部46，47がそれぞれ形成されている。各係止部46，47は、対応する規制縁部34，35が商品コラム16の前面に対向した際に、前後方向に同一位置となる位置関係に形成され、すなわち、天板13の各係止部20a ，20b と上下方向に対向する位置関係に形成されている。
【００２７】
規制部材23は、線状部材にて形成され、上下端部に天板13の係止部20a ，20b および調整部材22の係止部46，47にそれぞれ引っ掛け係止される引掛部51，52が形成されている。上端近傍には収縮方向に付勢するコイルスプリング部53が形成されている。
【００２８】
次に、本実施の形態の作用を説明する。
【００２９】
商品コラム16に収納する商品Ｔのサイズに合わせて、調整部材22や規制部材23の位置を調整する。
【００３０】
小形サイズの商品Ｔに合わせる場合には、図１(a) に示すように、調整部材22のねじ孔32すなわち回動中心から遠い距離とされる規制縁部34を商品コラム16の前面に対向させ、調整部材22の係合突起36を支持部材21の一方の係合凹部37に係合させて位置決めし、取付ねじ33を締め付けて調整部材22を支持部材21に固定する。
【００３１】
規制部材23の上端の引掛部51を天板13の後寄りの係止部20a に引っ掛け係止するとともに、規制部材23の下端の引掛部52を調整部材22の規制縁部34側の係止部46に引っ掛け係止する。
【００３２】
また、小形サイズの商品Ｔに合わせてある状態から、大形サイズの商品Ｔに合わせる場合には、規制部材23を取り外した後、取付ねじ33を緩め、調整部材22を支持部材21に対して下降させて調整部材22の係合突起36を支持部材21の一方の係合凹部37から下方に抜き外し、図１(b) に示すように、調整部材22を図中時計回り方向に９０゜回動させて、調整部材22のねじ孔32すなわち回動中心から近い距離とされる規制縁部35を商品コラム16の前面に対向させ、調整部材22の係合突起36を支持部材21の他方の係合凹部38に係合させて位置決めし、取付ねじ33を締め付けて調整部材22を支持部材21に固定する。
【００３３】
規制部材23の上端の引掛部51を天板13の前寄りの係止部20b に引っ掛け係止するとともに、規制部材23の下端の引掛部52を調整部材22の規制縁部35側の係止部47に引っ掛け係止する。
【００３４】
また、商品Ｔを装填（補充）するには、規制部材23を商品コラム16の前面の規制位置より側方の退避位置にずらしながら、開口17を通じて商品Ｔを商品コラム16内に装填する。規制部材23は、線状部材で形成されているとともにコイルスプリング部53を有しているため、弾性的に商品コラム16の前面の規制位置より側方の退避位置にずらすことが可能であり、しかも、規制部材23の退避位置への操作を解除すれば、自動的に元の規制位置に復帰する。
【００３５】
また、商品販売時に、商品コラム16内に集積収納される商品Ｔのうちの最下位の商品Ｔが投出部材18により前方に押し出されて投出されるが、最下位から２番目および３番目の商品Ｔは調整部材22の規制縁部34，35の壁面部40，41のうちの商品コラム16に対向する一方により前方への動きが規制される。さらに、４番目より上部に集積された商品Ｔは規制位置に位置している規制部材23によって前方への動きや落下が規制される。
【００３６】
そして、このような調整部材22を用いることにより、従来に比べて調整部材22の前方向の突出を小さくできる。すなわち、図５(b) に示すように、従来の調整部材３を長孔７に沿って前後方向にスライド調整して取り付ける場合、収納する商品ｔのサイズによっては調整部材３が支持部材２より前方向に幅Ｌだけ大きく突出する。それに対して、図５(a) に示すように、調整部材22では、収納する商品Ｔのサイズにかかわらず、支持部材21より前方向に突出することがなく、従来に比べて調整部材22の前方向へのストロークを幅Ｌだけ小さくすることができ、そのストロークの差分だけ自動販売機の奥行き方向の長さを小さくすることができる。
【００３７】
また、調整部材22の各規制縁部34，35にほぼ平行な壁面部40，41をそれぞれ設けたため、商品コラム16に集積収納された商品Ｔを正規の位置に規制でき、商品Ｔの投出を確実に行なえる。
【００３８】
また、調整部材22の各規制縁部34，35に規制部材23を係止する係止部46，47をそれぞれ設けたため、商品コラム16に収納された商品Ｔの前方向へのはみ出しや落下を防止する規制部材23を商品サイズに合わせて容易に取り付けることができる。
【００３９】
また、調整部材22の係合突起36を支持部材21の係合凹部37，38に選択的に係合させることにより、各規制縁部34，35が商品コラム16の前面に対向する各回動位置で、調整部材22の取付位置を規制することができる。
【００４０】
なお、前記実施の形態では、調整部材22に２つの規制縁部34，35を設けたが、２つに限らず、商品サイズに合わせて３つ以上設けても良い。
【００４１】
【発明の効果】
請求項１記載の自動販売機の商品収納装置によれば、調整部材を支持部材に対してほぼ水平面内で回動可能に取り付け、商品コラムに収納する商品のサイズに対応して、回動中心からそれぞれ異なる距離に形成される複数の規制縁部のうちのいずれかを商品コラムの前面に対向させればよいため、従来の調整部材を長孔に沿って前後方向にスライド調整して取り付ける場合に比べて、調整部材の前方向の突出を小さくできるので、そのためのスペースを省略でき、自動販売機の前後方向の長さを小さくできる。さらに、調整部材の各規制縁部に規制部材を係止する係止部をそれぞれ設けたため、商品コラムに収納された商品の前方向へのはみ出しや落下を防止する規制部材を商品サイズに合わせて容易に取り付けることができる。
【００４２】
請求項２記載の自動販売機の商品収納装置によれば、請求項１記載の自動販売機の商品収納装置の効果に加えて、ほぼ垂直な壁面部を調整部材の各規制縁部にそれぞれ設けたため、商品コラムに集積収納された商品を正規の位置に規制でき、商品の投出を確実に行なえる。
【００４３】
請求項３記載の自動販売機の商品収納装置によれば、請求項１または２記載の自動販売機の商品収納装置の効果に加えて、調整部材の規制縁部と反対側の縁部に、回動中心を中心とする円弧状の逃げ部が設けられる。
【図面の簡単な説明】
【図１】  本発明の一実施の形態を示す自動販売機の商品収納装置で、(a) は商品収納装置の小さいサイズの商品に対応した状態での平面図、(b) は商品収納装置の大きいサイズの商品に対応した状態での平面図である。
【図２】  同上商品収納装置の正面図である。
【図３】  同上商品収納装置の側面図である。
【図４】  同上調整部材の斜視図である。
【図５】  同上調整部材と従来例との比較を示し、(a) は本実施の形態の商品収納装置の平面図、(b) は従来の商品収納装置の平面図である。
【符号の説明】
11    商品収納装置
16    商品コラム
17    開口
21    支持部材
22    調整部材
23    規制部材
34，35    規制縁部
39 逃げ部
40，41    壁面部
46，47    係止部
Ｔ    商品
【図１】
0003836922.tif 000002
【図２】
0003836922.tif 000003
【図３】
0003836922.tif 000004
【図４】
0003836922.tif 000005
【図５】
0003836922.tif 000006